(57)【特許請求の範囲】
【請求項１】
ノック式ディスペンサーの内容物吐出機構に取り付けた形で使用される内容物カートリッジにおいて、
内容物を収容し、かつ、操作ボタンのノック操作により駆動されて作動モードへ移行する鞘状本体と、
鞘状本体前端側の開口部に破断可能な状態で固定されて前記内容物を封止するシール部と、からなり、
前記鞘状本体は、
その内部に配設されて、前記内容物が収容された内容物収容域の後端側を確定する移動可能な後側シール部材と、
前記後側シール部材より後方の鞘状本体内部に生成される内容物未収容空間域と、
前記内容物未収容空間域に外気を供給するための連通孔部と、
前記操作ボタンの内容物吐出用のノック操作にともなう駆動力を受ける上面部と、
前記内容物吐出機構の一部に保持される開口側被保持部と、を備え、
前記後側シール部材，前記内容物未収容空間域および前記連通孔部は、
前記開口側被保持部が前記内容物吐出機構の一部に保持された状態での前記ノック操作の終了にともない、
前記内容物吐出機構の貯留空間域にカートリッジ内容物が流入するとともに、前記連通孔部を介した前記内容物未収容空間域への供給外気の圧力作用により前記後側シール部材が前方向に移動する、
かたちの関連構造に設定されている、
ことを特徴とするノック式ディスペンサー用の内容物カートリッジ。
【請求項２】
前記連通孔部は、
前記上面部に形成されている、
ことを特徴とする請求項１記載のノック式ディスペンサー用の内容物カートリッジ。
【請求項３】
前記シール部は、
ヒートシールである、
ことを特徴とする請求項１または２記載のノック式ディスペンサー用の内容物カートリッジ。
【請求項４】
請求項１乃至３のいずれかに記載の内容物カートリッジの保持部が形成された内容物吐出機構を有する、
ことを特徴とするノック式ディスペンサー。
【発明の詳細な説明】
【技術分野】
【０００１】
本発明は、ノック式ディスペンサーの内容物カートリッジなどに関し、特にノック式ディスペンサーへの取付け前の単体状態ではヒートシールなどの破断可能なシール部で内容物が封止され、ノック式ディスペンサーへの取付け後にはノック操作釦と連動し、かつ、このシール部が破断した状態に設定される内容物カートリッジに関する。
【０００２】
なお、本明細書では必要に応じて、ノック式ディスペンサーの内容物吐出用孔部の方である図面下側を「前」と記し、操作ボタンの方である図面上側を「後」と記す。また、この前後方向を「縦」とする。
【背景技術】
【０００３】
本件出願人は、ノック式ディスペンサーの内容物（乳液やゼリー状液体など）の収容部を当該ディスペンサーのノック操作部や軸筒などとは別ユニットのカートリッジ形状にしたものを提案済みである（特許文献１参照）。
【０００４】
このノック式ディスペンサーの内容物カートリッジは、筒状部からなり、その前端に内容物吐出用孔部が形成され、その後端側には軸筒への組込み後に操作ボタン側と係合して前後方向に連動可能なシール部材が設けられている。
【０００５】
そして、このカートリッジ前端の内容物吐出用孔部とカートリッジ後端側のシール部材との内部空間域に、例えば乳液やゼリー状液体などの各種内容物が収容されている。
【先行技術文献】
【特許文献】
【０００６】
【特許文献１】特開２００９−２６１７２５号公報
【発明の概要】
【発明が解決しようとする課題】
【０００７】
提案済みの内容物カートリッジを用いるノック式ディスペンサーは、内容物の補充・交換作業の簡単化を図ることができるといった利点を有している。
【０００８】
ただ、内容物カートリッジは筒状部からなり、その前端に内容物吐出用孔部が形成され、その後端側内部に前後動可能な（内容物）シール部材が設けられた態様になっているため、ノック式ディスペンサーに組み込まれる前の内容物カートリッジ自体の管理面、例えばカートリッジからの内容物洩れを防ぐなどの点で改善の余地を残している。
【０００９】
本発明では、ノック式ディスペンサーの内容物カートリッジを、鞘形状のいわゆるレフィール形状のもので、その前端の内容物供給開口部が破断可能なシール部で閉塞され、かつその内部後側（内容物の後端部分）には内容物の減少にともなって前方向に応動するシール部材が設定された、内容物の完全封止態様のものにしている。
【００１０】
このような破断可能なシール部を用いた完全封止態様の内容物カートリッジの使用により、ノック式ディスペンサーへのカートリッジ組込み前における内容物の漏れを確実に防止するとともに、ノック式ディスペンサーへのカートリッジ態様による内容物補充・交換作業の一層の簡単化を図ることを目的とする。
【課題を解決するための手段】
【００１１】
本発明は、以上の課題を次のようにして解決する。
（１）ノック式ディスペンサーの内容物吐出機構に取り付けた形で使用される内容物カートリッジ（例えば後述のカートリッジ１０）において、
内容物を収容し、かつ、操作ボタンのノック操作により駆動されて作動モードへ移行する鞘状本体（例えば後述の鞘状本体１０ａ）と、
鞘状本体前端側の開口部に破断可能な状態で固定されて前記内容物を封止するシール部（例えば後述のヒートシール１０ｂ）と、からなり、
前記鞘状本体は、
その内部に配設されて、前記内容物が収容された内容物収容域の後端側を確定する移動可能な後側シール部材（例えば後述の後側シール部材１０ｅ）と、
前記後側シール部材より後方の鞘状本体内部に生成される内容物未収容空間域（例えば後述の内容物未収容空間域１０ｇ）と、
前記内容物未収容空間域に外気を供給するための連通孔部（例えば後述の鞘状本体上面孔部１０ｈ）と、
前記操作ボタンの内容物吐出用のノック操作にともなう駆動力を受ける上面部（例えば後述の鞘状本体上面部１０ｊ）と、
前記内容物吐出機構の一部（例えば後述の後側保持部材８，環凸状部８ａ）に保持される開口側被保持部（例えば後述の開口側内周面部１０ｃ）と、を備え、
前記後側シール部材，前記内容物未収容空間域および前記連通孔部は、
前記開口側被保持部が前記内容物吐出機構の一部に保持された状態での前記ノック操作の終了にともない、
前記内容物吐出機構の貯留空間域（例えば後述の貯留空間域５ｂ）にカートリッジ内容物が流入するとともに、前記連通孔部を介した前記内容物未収容空間域への供給外気の圧力作用により前記後側シール部材が前方向に移動する、
かたちの関連構造に設定された、
構成態様のものを用いる。
（２）上記（１）において、
前記連通孔部は、
前記上面部に形成された、
構成態様のものを用いる。
（３）上記（１），（２）において、
前記シール部は、
ヒートシールである、
構成態様のものを用いる。
（４）上記（１），（２），（３）の内容物カートリッジ（例えば後述のカートリッジ１０）の保持部（例えば後述の後側保持部材８，環凸状部８ａ）が形成された内容物吐出機構を有する、
構成態様のノック式ディスペンサーを用いる。
【００１２】
このような構成からなる、ノック式ディスペンサー用の内容物カートリッジおよび当該内容物カートリッジが内容物吐出機構に取り付けられたノック式ディスペンサーを、本発明の対象としている。
【発明の効果】
【００１３】
本発明は以上の課題解決手段により、
(11)ノック式ディスペンサーへのカートリッジ組込み前における内容物の漏れを確実に防止するとともに、
(12)ノック式ディスペンサーへのカートリッジ態様による内容物補充・交換作業の一層の簡単化を図る、
ことができる。
【図面の簡単な説明】
【００１４】
【図１】ノック式ディスペンサーの静止モードを示す断面図である。
【図２】ノック式ディスペンサーの作動モードを示す断面図である。
【図３】ノック式ディスペンサーを構成する前軸筒ユニット，内容物カートリッジおよび後軸筒ユニットのそれぞれを示す分解図である。
【発明を実施するための形態】
【００１５】
図１〜図３を用いて本発明を実施するための形態を説明する。
【００１６】
以下のアルファベット付き参照番号の構成要素（例えば孔部１ａ）は原則として当該参照番号の数字部分の構成要素（例えば前軸筒１）の一部であることを示している。
【００１７】
後述の前軸筒ユニットＡに関して、
１は内容物吐出用通路域を有して筒状で固定タイプの前軸筒（シリンダ），
１ａは前端部分に形成された内容物吐出用の孔部，
１ｂは孔部１ａに通じる内容物吐出用通路域を画定する内側筒状部，
１ｃは後述のキャップ９および後軸筒１１が外周面に取り付けられる外側筒状部，
１ｄは外側筒状部１ｃの外周面に形成されてキャップ９および後軸筒１１それぞれの端部を受ける環凸状部分，
１ｅは内側筒状部１ｂと外側筒状部１ｃとの間の前部分に形成されて後述のコイルスプリング４を受けるための複数のリブ状部，
１ｆは外側筒状部１ｃの後端側内周面の周方向に飛び飛びに複数形成されて後述の貯留部材５の抜けを阻止するための凸状部，
２は内容物通過域を有して鞘状で固定タイプのカラー部材，
２ａは内側筒状部１ｂの後端側内周面に嵌合固定された大径筒状部，
２ｂは当該大径筒状部の上流側（後側）の内容物通過域を画定する小径筒状部，
２ｃは当該小径筒状部に形成されて後述の下流弁部材６の開閉作用相手となる内容物通過用の孔部，
２ｄは小径筒状部２ｂの後側に形成されて下流弁部材６の後方への移動を規制する中径鞘状部，
３は後述の貯留部材５の前端側内周面と嵌合固定した状態でカラー部材２の外側に設けられて、当該貯留部材などと前後方向に連動し、かつ、作動モードから静止モードへの復帰時に後述の下流弁部材６を後方向に駆動する筒状の前側保持部材，
３ａは当該前側保持部材の外周面に形成されてその前面部分で後述のコイルスプリング４を受ける環凸状部，
４は前軸筒１のリブ状部１ｅと前側保持部材３の環凸状部３ａとの間に設けられて当該前側保持部材を後方向に付勢するコイルスプリング，
５は前側保持部材３の外周面に嵌合して内容物の貯留空間域を有する筒状の前後動可能な貯留部材，
５ａは当該貯留部材の後端開口側に形成されて後述の上流弁部材７の弁作用部７ｃの密接受け面として作用する擂鉢状内周面，
５ｂは当該貯留部材の内部空間域の一部であって、吐出弁（＝カラー部材２の孔部２ｃおよび下流弁部材６の内周面６ａ）と、吸込弁（＝貯留部材５の擂鉢状内周面５ａおよび上流弁部材７のカップ状部７ｄ）との間に生成される吐出対象内容物の貯留空間域，
６は小径筒状部２ｂ（カラー部材）の外周面および貯留部材９の内周面のそれぞれに密接する形で設けられた前後動可能な筒状の下流弁部材（吐出弁部材），
６ａはカラー部材２の孔部２ｃとの間で弁作用を呈する内周面，
６ｂは貯留部材５の内周面に密接するスカート部，
７は貯留部材５の後側内周面に係合して固定された樹脂コイルスプリング仕様の上流弁部材（吸込弁部材），
７ａは貯留部材５の後側内周面に対して係合，接着などにより固定された環状（鍔状）基部，
７ｂは当該環状基部の一部に形成されて内容物通過域として作用する切欠状部，
７ｃは当該環状基部と一体に形成されて前後方向に伸縮可能なコイル状部分，
７ｄは当該コイル状部分の後端に連続形成されて貯留部材５の擂鉢状内周面５ａとの間で弁作用を呈するカップ状部，
８は貯留部材５の後側外周面と嵌合固定して後述のカートリッジ１０が装填される筒状の後側保持部材，
８ａは当該後側保持部材の前端側外周面に形成されてカートリッジ１０を受けるための環凸状部，
９は前軸筒１の外周面に着脱自在な形で取り付けられて孔部１ａを閉状態にするためのキャップ，
をそれぞれ示している。
【００１８】
内容物収容カートリッジに関して、
１０は乳液やゼリー状液体などの各種内容物を収容した鞘状のカートリッジ，
１０ａは内容物を収容して、ノック操作により前方に移動する鞘状本体，
１０ｂは当該鞘状本体の開口部に固定されて破断可能な周知のヒートシール，
１０ｃは当該鞘状本体の開口側に形成されて後側保持部材８，環凸状部８ａと係合する大径の開口側内周面部，
１０ｄは当該鞘状本体の内部空間域の一部であって乳液やゼリー状液体などの内容物収容域，
１０ｅは当該内容物収容域の後端側を画定する略円形状の部材であって、その径方向断面がＨ型で、内容物吐出動作の繰り返しにともなうカートリッジ内容物の減少に応じて前方向に移動する後側シール部材，
１０ｆは当該後側シール部材に形成されてそれぞれ鞘状本体１０ａの内周面に密接するスカート部，
１０ｇは鞘状本体１０ａの内部空間域の一部であって、後側シール部材１０ｅより後方に生成される内容物未収容空間域，
１０ｈは当該内容物未収容空間域に外気を供給するための鞘状本体上面孔部，
１０ｊは後述の操作ボタン１４の前端部分からノック操作力を受ける鞘状本体上面部，
をそれぞれ示している。
【００１９】
後述の後軸筒ユニットＢに関して、
１１は取外しできる形で前軸筒１に係合する筒状で固定タイプの後軸筒（シリンダ），
１２は後軸筒１１の後端開口部に取り付けられて後述の操作ボタン１４を案内する筒状で固定タイプの案内部材，
１２ａは外周面に形成されて、後軸筒１１の後端部分に受けられ、後述の尾栓部材１３の前端部分を受ける環凸状部，
１２ｂは当該環凸状部より後側の内周面に形成されて、後述の被案内凸状部１４ａ（操作ボタン１４）を前後方向に案内する複数の縦溝状部，
１３は案内部材１２の外周面に嵌合した筒状で固定タイプの尾栓部材，
１４は案内部材１２および尾栓部材１３などの内部に設けられた鞘状で前後動可能なノック式の操作ボタン，
１４ａは当該操作ボタンの外周面に形成されてそれぞれが案内部材１２の縦溝状部１２ｂに案内される複数の被案内凸状部，
１４ｂは当該操作ボタンの前端部分の一部に形成されてカートリッジ１０の孔部１０ｇへの外気通過域として作用する切欠状部，
をそれぞれ示している。
【００２０】
さらには、
Ａは前軸筒１，カラー部材２，前側保持部材３，コイルスプリング４，貯留部材５，下流弁部材６，上流弁部材７および後側保持部材８をそれぞれ組み立て、かつ、キャップ９を前軸筒１に取り付けた状態の前軸筒ユニット，
Ｂは後軸筒１１，案内部材１２，尾栓部材１３および操作ボタン１４をそれぞれ組み立てた状態の後軸筒ユニット，
をそれぞれ示している。
【００２１】
以上の各構成要素は例えば、ポリプロピレン，ポリエチレン，ポリアセタール，ナイロン，ポリブチレンテレフタレートなどの合成樹脂製のものである。コイルスプリング４，カートリッジ１０は金属製のものでもよい。
【００２２】
図示のノック式ディスペンサーの構成は，前軸筒ユニットＡ，カートリッジ１０および後軸筒ユニットＢに大別される。
【００２３】
図示のノック式ディスペンサーの基本的特徴は、ヒートシール１０ｂを破断するまでの間、カートリッジ１０に収容された内容物が当該ヒートシール，カートリッジ内周面および後側シール部材１０ｅの作用により、密封状態になっていることである。
【００２４】
したがって、ヒートシール１０ｂの破断前のカートリッジ１０からその収容内容物が洩れるようなことはなく、当該カートリッジそれぞれの管理を簡単，効率的におこなうことができる。
【００２５】
ノック式ディスペンサーの使用にともなって略空状態となった旧カートリッジ１０を交換するには、
(21)先ず前軸筒ユニットＡおよびこれに装填された旧カートリッジ１０からなる前部分と、後軸筒ユニットＢの後部分とを分離し、
(22)次に前軸筒ユニットＡの後側保持部材８から旧カートリッジ１０を取外し、
(23)次に前軸筒ユニットＡの後側保持部材８に新カートリッジ１０を取り付け、
(24)次に前軸筒ユニットＡの外側筒状部１ｃに後軸筒ユニットＢの前端側内周面をネジ結合させればよい。
【００２６】
なお、後側保持部材８の外周面および環凸状部８ａに新カートリッジ１０を取り付ける際、そのヒートシール１０ｂが貯留部材５の後端部分に当たって破断される。その結果、貯留部材５およびカートリッジ１０それぞれの内部空間域が上流弁部材７を介して連通可能となる。
【００２７】
図１の静止モードでは、
(31)コイルスプリング４の作用により、前側保持部材３，貯留部材５，後側保持部材８およびカートリッジ１０のいわば一体物と、当該カートリッジの鞘状本体上面部１０ｊに当接した状態の操作ボタン１４と、の全体が後方向に駆動され、
(32)下流弁部材６は、前側保持部材３の後端部分で後方向に押されて、その後面内端部分がカラー部材２の中径鞘状部２ｄの前面（小径筒状部２ｂとの境界段部）に当接した、
状態になっている。
【００２８】
すなわち、カラー部材２の孔部２ｃが下流弁部材６の内周面６ａで閉塞され、かつ、貯留部材５の擂鉢状内周面５ａに上流弁部材７のカップ状部７ｄが密接している。
【００２９】
この下流弁部材６および上流弁部材７の弁作用により貯留空間域５ｂは一つの閉空間状態に設定され、当該貯留空間域には次回の吐出対象の内容物が収容されている。
【００３０】
静止モードのノック式ディスペンサーのキャップ９を前軸筒１の外側筒状部１ｃから取り外して、操作ボタン１４の前方（図示下方）へのノック操作を行なうと、図２で示すように、
(41)操作ボタン１４が、その被案内凸状部１４ａと案内部材１２の縦溝状部１２ｂとの間のガイド作用にしたがって、回動することなく前方に移動し、
(42)この操作ボタン１４と連動する形で、カートリッジ１０およびそれとの一体物、すなわちカートリッジ１０，後側保持部材８，貯留部材５および前側保持部材３がコイルスプリング４の付勢力に抗する形で前方向に移動し、
(43)この貯留部材５などの前方向への移動にともなって貯留空間域５ｂの容積が減少してそこでの内容物圧力が大きくなるので、下流弁部材６が当該圧力で図２の白矢印で示すように前方へと駆動され、
(44)この下流弁部材６の前方への移動により、その内周面６ａと、カラー部材２の内容物通過用の孔部２ｃとのそれまでの閉状態が解除され、作動モードへと移行する。
【００３１】
この作動モードへの移行にともない、貯留空間域５ｂの収容内容物が、図２の黒矢印で示すように「貯留空間域５ｂ−孔部２ｃ−カラー部材２の内部空間域−内側筒状部１ｂの内部空間域−孔部１ａ」を経て外部空間域に吐出される。
【００３２】
このとき上流弁は閉じたまま、すなわち上流弁部材７のカップ状部７ｄは貯留部材５の擂鉢状内周面５ａに密接したままである。
【００３３】
そして操作ボタン１４のノック操作が終了すると、コイルスプリング４の作用により、ノック操作時とは逆に、前側保持部材３，貯留部材５，後側保持部材８，カートリッジ１０および操作ボタン１４が後方向へ移動して、それぞれ図１の静止モード位置へと復帰する。
【００３４】
また、下流弁部材６も前側保持部材３の後端部分に押される形で同じく後方向へ移動して静止モード位置へ復帰する。これにより、それまで開状態となっていたカラー部材２の孔部２ｃは下流弁部材６の内周面６ａで閉塞される。
【００３５】
一方、上流弁部材７はノック操作時の閉状態から開状態へとシフトする。
それは、ノック操作終了にともなう貯留部材５の後方への復帰動作によりその貯留空間域５ｂの容積が増大して、そこでの残留内容物圧力および上流弁部材７のコイル状部分７ｃの上方向への弾性力の和よりも、カートリッジ１０の内容物収容域１０ｄの内容物圧力の方が大きくなるからである。
【００３６】
すなわち、上流弁部材７は、内容物収容域１０ｄの内容物圧力に応じてコイル状部分７ｃおよびカップ状部７ｄが前方に変位する（環状基部７ａは変位しない）。この変位によりカップ状部７ｄが貯留部材５の擂鉢状内周面５ａから離間し、カートリッジ１０の内容物が貯留空間域５ｂへ流入する。
【００３７】
この内容物１０ｄの流入動作は概略、「貯留空間域５ｂの内容物圧力＋上流弁部材７の後方向への付勢力」と「カートリッジ１０の内容物圧力」とがバランスした段階で終了する。
【００３８】
なお、カートリッジ１０から貯留空間域５ｂへの内容物流入にともない、カートリッジ内部圧力が大気圧よりも小さくなるので、後側シール部材１０ｅは、内容物未収納空間域１０ｇからの大気圧によって押される形で前方向（図示下方向）に移動する。
【００３９】
この内容物未収納空間域１０ｇへの外気供給径路は、「外部空間域−尾栓部材１３，案内部材１２の各内面と操作ボタン１４の外面との隙間部分−操作ボタン１４の切欠状部１４ｂ−カートリッジ１０の鞘状本体上面孔部１０ｈ」である。
【００４０】
なお、カラー部材２の小径筒状部２ｂに下流弁部材６を取り付けるには、前広がりのテーパ状外周面が後端側に形成された中径鞘状部２ｄに、その後側（図示上側）から当該下流弁部材を入れ込んでいく。このときテーパ状外周面は下流弁部材６の内周面６ａへの拡開作用を呈する。
【００４１】
本発明が、図示の内容物カートリッジおよびノック式ディスペンサーに限定されないことは勿論である。
【００４２】
例えば、ヒートシール１０ｂのシール性状，カートリッジ開口部への固定態様を、カートリッジ１０が後側保持部材８に取り付けられるのに先立って、利用者が当該ヒートシールを破断できるような態様にしてもよい。
【００４３】
また、カートリッジ１０に対するノック操作手段や当該カートリッジから供給される内容物の吐出手段の具体的構成としては図示以外の各種構成を用いることができる。
【００４４】
本発明の用途は、化粧品，洗浄剤，清掃剤，制汗剤，冷却剤，筋肉消炎剤，ヘアスタイリング剤，ヘアトリートメント剤，染毛剤，育毛剤，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，接着剤，潤滑剤などの各種用途である。
【００４５】
カートリッジ１０に収納される内容物は、例えば乳液，ゼリー状液体や粉状物，油成分，アルコール類，界面活性剤，高分子化合物などである。
【００４６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００４７】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００４８】
アルコール類としては、エタノールなどの１価の低級アルコール，ラウリルアルコールなどの１価の高級アルコール，エチレングリコールなどの多価アルコールなどを用いる。
【００４９】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００５０】
高分子化合物としては、メチルセルロース，ゼラチン，デンプン，カゼインなどを用いる。
【００５１】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料などを用いる。
【００５２】
さらに、上記内容物以外の、懸濁剤，紫外線吸収剤，乳化剤，保湿剤，酸化防止剤、金属イオン封鎖剤なども用いることができる。
【符号の説明】
【００５３】
Ａ：前軸筒ユニット
Ｂ：後軸筒ユニット
【００５４】
（前軸筒ユニットＡに関して）
１：前軸筒
１ａ：内容物吐出用の孔部
１ｂ：内側筒状部
１ｃ：外側筒状部
１ｄ：環凸状部分
１ｅ：複数のリブ状部
１ｆ：凸状部
２：カラー部材
２ａ：大径筒状部
２ｂ：小径筒状部
２ｃ：内容物通過用の孔部
２ｄ：中径鞘状部
３：前側保持部材
３ａ：環凸状部
４：コイルスプリング
５：貯留部材
５ａ：擂鉢状内周面
５ｂ：吐出対象内容物の貯留空間域
６：下流弁部材（吐出弁部材）
６ａ：内周面
６ｂ：スカート部
７：上流弁部材（吸込弁部材）
７ａ：環状（鍔状）基部
７ｂ：切欠状部
７ｃ：コイル状部分
７ｄ：カップ状部
８：後側保持部材
８ａ：環凸状部
９：キャップ
【００５５】
（内容物収容カートリッジに関して）
１０：カートリッジ
１０ａ：鞘状本体，
１０ｂ：ヒートシール
１０ｃ：開口側内周面部
１０ｄ：内容物
１０ｅ：後側シール部材
１０ｆ：スカート部
１０ｇ：内容物未収容空間域
１０ｈ：外気供給用の鞘状本体上面孔部
１０ｊ：鞘状本体上面部
【００５６】
（後軸筒ユニットＢに関して）
１１：後軸筒
１２：案内部材
１２ａ：環凸状部
１２ｂ：複数の縦溝状部
１３：尾栓部材
１４：ノック式の操作ボタン
１４ａ：複数の被案内凸状部
１４ｂ：切欠状部
【図１】
0005593522.tif 000002
【図２】
0005593522.tif 000003
【図３】
0005593522.tif 000004